(57)【要約】【課題】  再生する画像を選択するときや、再生形態を選択するときにおいて、より直感的に動作させ得る操作性を備えた画像再生装置を提供する。【解決手段】  画像再生装置に設けた液晶モニタを用いて、再生モード時に液晶モニタを回動操作することにより、その回転角度や回転方向に応じて、再生する画像ファイルの選択やサーチ、又は再生形態の選択を行う。【選択図】  図１
2005198256.tif 000002
【特許請求の範囲】
【請求項１】
記録媒体に記録された画像データを再生して表示する画像再生装置において、
前記画像再生装置の本体に接続され、該本体に接続された部位の全部または一部を支点にして回動可能な構成を有し、回動に応じて表示のオンオフを切り替え可能な表示手段と、
前記表示手段の表示がオンになっている状態において、前記表示手段の回転方向、回転量及び回転角度のうち、いずれか一つ以上の変化を検出して回転情報を出力する検出手段と、
前記記録媒体から前記画像データを再生して前記表示手段に出力する再生手段と、
前記検出手段から出力された回転情報に基づいて、前記再生手段で再生される画像データを選択する選択手段とを具備したことを特徴とする画像再生装置。
【請求項２】
記録媒体に記録された画像データを再生して表示する画像再生装置において、
前記画像再生装置の本体に接続され、該本体に接続された部位の全部または一部を支点にして回動可能な構成を有し、回動に応じて表示のオンオフを切り替え可能な表示手段と、
前記表示手段の表示がオンになっている状態において、前記表示手段の回転方向、回転量及び回転角度のうち、いずれか一つ以上の変化を検出して回転情報を出力する検出手段と、
複数の再生形態に対して選択された再生形態で前記記録媒体から前記画像データを再生して前記表示手段に出力する再生手段と、
前記検出手段から出力された回転情報に応じて、前記再生手段で実行される再生形態を選択する選択手段とを具備したことを特徴とする画像再生装置。
【請求項３】
ユーザーからの指示入力を受け付ける操作部をさらに有し、該操作部に入力されたユーザー指示に応じて、前記選択手段の動作を有効化または無効化すること特徴とする請求項１または２記載の画像再生装置。
【請求項４】
前記選択手段は、前記回転情報に応じて、再生する画像データの順番を選択することを特徴とする請求項１に記載の画像再生装置。
【請求項５】
前記選択手段は、前記回転情報に応じて、再生する画像データの再生間隔を選択することを特徴とする請求項１または４に記載の画像再生装置。
【請求項６】
前記選択手段は、前記回転情報に応じて、再生する画像データのサーチを選択することを特徴とする請求項１に記載の画像再生装置。
【請求項７】
前記選択手段は、前記回転情報に応じて、インデックス再生を選択することを特徴とする請求項１に記載の画像再生装置。
【請求項８】
前記選択手段は、前記回転情報に応じて、通常再生、スロー再生、ｎ倍速再生、逆再生、又は先頭画像の再生のうち、いずれか一つ以上を選択可能であることを特徴とする請求項２に記載の画像再生装置。
【発明の詳細な説明】
【技術分野】
【０００１】
本発明は、液晶ディスプレイ等から構成される回動可能なモニタを具備した画像再生装置に関する。
【背景技術】
【０００２】
デジタルビデオカメラ或いはデジタルスチルカメラなどの画像記録再生装置は、具備する記録媒体に記録されている画像ファイルを選択して再生する機能を有している。再生する画像ファイル（又はシーン）を選択するための操作部材としては、一般的に正方向、負方向を示すサーチボタン、十字キー、ジョグシャトル等の操作部材が知られている。
【０００３】
また、スライドショー、コマ送り、倍速再生、逆再生等の特殊な再生機能を実行できるカメラがあり、このようなカメラを使用するユーザーは、設けられた専用のモードボタンを用いて設定したり、或いはメニュー画面を用いて設定したりして、所望の再生形態を選択している。なお、このようなカメラに関しては、例えば、特許文献１などに開示されている。
【０００４】
このように、再生する画像ファイル（又はシーン）を選択する場合や、再生形態を選択する場合には、ユーザーは操作ボタンを用いたり、メニュー画面を用いたりして選択操作を行うことが多かった。
【特許文献１】特開平１１−３３１７３９号公報
【発明の開示】
【発明が解決しようとする課題】
【０００５】
しかしながら、デジタルビデオカメラやデジタルスチルカメラ等のカメラの多くは小型化が進み、搭載可能な操作部材の数は限界に近づき、追加が難しくなってきている。また、操作ボタンがカメラ本体に搭載された場合、装置の小型化を阻害するばかりでなく、デザイン性を低下させる場合もある。また、操作ボタンを本体でなくリモートコントローラに搭載したとしても、リモートコントローラを大きくすることはカメラと一緒に携帯するメリットを損なわせ、商品性を低下させるおそれがある。
【０００６】
また、カメラは多機能化が進んでおり、メニューの項目やその内容は著しく複雑化している。したがって、新たな動作形態を追加した際に、メニュー項目を追加することはユーザーにとって一層の混乱を招きかねない。もとよりメニューを用いた設定方法は、階層的でユーザー操作工数が多く複雑であり、直感的な操作が難しいので、操作性の点で優れているとはいえなかった。
【０００７】
すなわち、カメラに所定の動作を行わせる際に、その動作を指示するための操作ボタンを専用に設けることにはスペース的、デザイン的な制限があり、またメニュー画面を用いて動作を設定する方法では操作が複雑となってしまう問題があった。
【０００８】
本発明は、上記のような点に鑑みてなされたものであり、再生する画像を選択するときや、再生形態を選択するときにおいて、より直感的に動作させ得る操作性を備えた画像再生装置を提供することを目的とする。
【課題を解決するための手段】
【０００９】
上記課題を解決するために、本発明の画像再生装置は、該画像再生装置の本体に接続され、該本体に接続された部位の全部または一部を支点にして回動可能な構成を有し、回動に応じて表示のオンオフを切り替え可能な表示手段と、前記表示手段の表示がオンになっている状態において、前記表示手段の回転方向、回転量及び回転角度のうち、いずれか一つ以上の変化を検出して回転情報を出力する検出手段と、前記記録媒体から前記画像データを再生して前記表示手段に出力する再生手段と、前記検出手段から出力された回転情報に基づいて、前記再生手段で再生される画像データを選択する選択手段とを具備したことを特徴とする。
【００１０】
また、本発明の画像再生装置は、該画像再生装置の本体に接続され、該本体に接続された部位の全部または一部を支点にして回動可能な構成を有し、回動に応じて表示のオンオフを切り替え可能な表示手段と、前記表示手段の表示がオンになっている状態において、前記表示手段の回転方向、回転量及び回転角度のうち、いずれか一つ以上の変化を検出して回転情報を出力する検出手段と、複数の再生形態に対して選択された再生形態で前記記録媒体から前記画像データを再生して前記表示手段に出力する再生手段と、前記検出手段から出力された回転情報に応じて、前記再生手段で実行される再生形態を選択する選択手段とを具備したことを特徴とする。
【発明の効果】
【００１１】
本発明によれば、液晶モニタ等の表示部を回転操作するといった、ユーザーにとって直感的な操作によって、再生する画像データの選択や再生形態の選択が行える。
【発明を実施するための最良の形態】
【００１２】
以下、図面を参照しながら本発明の好適な実施の形態を説明する。
【００１３】
参照すべき図として、図１は本発明に係る画像記録再生装置のブロック図である。図２は、本発明に係る画像記録再生装置の外観図である。図３は、画像記録再生装置における再生画像を選択する際の操作イメージである。図４は、画像記録再生装置における動画ファイルの再生形態を選択する際の操作イメージである。図５は図３の如き再生画像の選択に係る処理を表わしたフローチャートである。図６は図４の如き動画ファイルの再生形態の選択に係る処理を表わしたフローチャートである。これらの図を参照しながら順を追って説明する。
【００１４】
まず、図１に示した本発明の画像記録再生装置を構成する各部の説明を行う。１０１は光学レンズであり、１０２は光学レンズ１０１を透過した被写体像を取り込んで撮像信号を生成するＣＣＤイメージセンサー等の撮像素子、１０３はＣＣＤ１０２から出力される撮像信号に対してカメラ信号処理を施すカメラ信号処理部である。
【００１５】
１０４は記録動作時にカメラ信号処理部１０３から出力された画像信号を圧縮・符号化し、また再生動作時には記録／再生部１１０から出力された再生データを伸張・復号化する画像圧縮／伸張部である。１０５は画像記録再生装置全体の動作を制御するシステムコントローラである。
【００１６】
１０６は開閉煽り機能及び回動機能の機構を有する液晶モニタであり、１０７は液晶モニタ１０６の回転量、角度及び方向を検出する回動角度検出部、１０８は液晶モニタの開閉煽り量、角度及び方向を検出する煽り検出部である。液晶モニタ１０６は、画像記録再生装置が撮影動作を行っているときはカメラ信号処理部１０３から出力された画像信号を撮影画として表示可能であり、また再生動作を行っているときは画像圧縮／伸張部１０４から出力された伸張後の画像信号を再生画として表示可能である（伸張が不要の画像データについては、記録／再生部１１０から出力された再生データを用いて表示可能である）。
【００１７】
１０９は電源及び各種機能のオンオフや記録・再生モードを切り替えるための指示入力等を行う操作キー、１１０は記録動作時に画像圧縮／伸張部１０４から出力された圧縮画像データを記録媒体１１１に記録し、また再生動作時には記録媒体１１１に記録されている圧縮画像データを再生する記録／再生部である。１１１はメモリカード、光ディスク、磁気テープ等の記録媒体である。なお、これら各部は制御バス或いはデータバスで接続されている。
【００１８】
図２は、本発明に係る画像記録再生装置の外観図である。図２において、（１）は前面からの外見図、（２）は側面からの外見図、（３）は上面からの外見図である。開閉煽り機能及び回動機能の機構を有する液晶モニタ１０６は、図２のように画像記録再生装置本体の側面にヒンジ等で接続されており、本体と接続した部位の一部または全部が回動する構成である。開閉煽り機能も回動機構であるので、液晶モニタ１０６は複数の回転機構を備えているものである。なお、図２において液晶モニタ１０６は、開閉煽り機能により本体と略垂直となる角度まで開いている状態であり、表示面を後方に向けている状態である。この状態から、液晶モニタ１０６の表示面は、基本は本体後方側（被写体と反対の方向）を向いて表示するものであるが、回転機能により下方、上方や前方側（被写体と同じ方向）まで表示面の向きを変えることができる。また、液晶モニタ１０６の開閉煽り機能により、液晶モニタ１０６を本体に収納する如き状態へ回転動作により移動（閉じ）させれば表示をオフすることができ、本体から開くことで表示をオンにすることができる。
【００１９】
図３は、画像記録再生装置における再生画像を選択する際の操作イメージである。前提として、記録媒体１１１にはＮ個の画像ファイルが記録されており、それらのファイルが再生されて液晶モニタ１０６に表示可能な状態とする。液晶モニタ１０６は表示オンの状態となっている。
【００２０】
現在再生中の画像ファイルがｎ番目のファイルであるとする場合、図３の（ａ）の例は、液晶モニタ１０６を所定位置から上方向に回転することで、再生される画像ファイルを＋（順）方向へと送り（すなわち、ｎ，ｎ＋１，ｎ＋２，・・・の順番で再生画像をサーチする）、液晶モニタ１０６を所定位置から下方向に回転することで、再生される画像ファイルを−（逆）方向へと送る（すなわち、ｎ，ｎ−１，ｎ−２，・・・の順番で再生画像をサーチする）ことを示している。このときの回転方向は回動角度検出部１０７で検出され、検出された回転情報に応じてシステムコントローラ１０５によって記録／再生部１１０の再生動作の制御が行われて、このような画像送りが実現される。また、画像ファイルの送りに限らず、再生される動画のシーンサーチに上記構成を用いることができる。
【００２１】
また、図３の（ｂ）の例は、（ａ）の構成をさらに高度化したものであり、順方向への画像送りを行う場合、液晶モニタ１０６を所定位置から上方向へ回転するが、その際、回動角度検出部１０７によって検出された液晶モニタ１０６の最大変化回転角度θｍに応じて再生する画像ファイルを選択し、液晶モニタ１０６に再生表示する例である。このとき、ユーザーが所望の画像を決定し、液晶モニタ１０６の回転角度θを０にした場合（所定位置に戻した場合）に、最大変化回転角度θｍを０にリセットし、画像送りは行われなくなる。現在再生中の画像ファイルがｎ番目のファイルであるとする場合、最大回転角度θｍに応じて選択される画像ファイルは以下のようになる。 
０＜θｍ≦１／８π        ・・・  ｎ＋１番目
１／８π＜θｍ≦２／８π  ・・・  ｎ＋２番目
２／８π＜θｍ≦３／８π  ・・・  ｎ＋３番目
また、３／８π＜θｍ≦４／８πの場合には、画像ファイルのサムネイルを用いて、これを所定の間隔で＋（順）方向に順番に表示していく（＋方向へのＩＮＤＥＸサーチ）。液晶モニタ１０６の回転角度θが３／８π＜θ≦４／８πの条件を満たさなくなった時点で、表示しているサムネイルに対応する本画像を表示する。
【００２２】
一方、逆方向への画像送りを行う場合、液晶モニタ１０６を所定位置から下方向へ回転するが、その際には、上記順方向のときと同様の再生動作が逆方向に対して行われる。現在再生中の画像ファイルがｎ番目のファイルであるとする場合、最大回転角度θｍに応じて選択される画像ファイルは以下のようになる。 
−１／８π≦θｍ＜０          ・・・  ｎ−１番目
−２／８π≦θｍ＜−１／８π  ・・・  ｎ−２番目
−３／８π≦θｍ＜−２／８π  ・・・  ｎ−３番目
また、順方向画像送りと同様に、−４／８π≦θｍ＜−３／８πの場合には、画像ファイルのサムネイルを用いて、これを所定の間隔で−（逆）方向に順番に表示していく（−方向へのＩＮＤＥＸサーチ）。液晶モニタ１０６の回転角度θが−４／８π≦θ＜−３／８πの条件を満たさなくなった時点で、表示しているサムネイルに対する本画像を表示する。
【００２３】
なお、上記の回転方向、回転角度や回転量は回動角度検出部１０７で検出され、検出された回転情報に応じてシステムコントローラ１０５によって記録／再生部１１０の再生動作の制御が行われて、このような画像送りが実現される。
【００２４】
以上、図３の（ｂ）の例は、すなわち、液晶モニタ１０６の回転方向や回転角度θ等に応じて、再生画像の画像送りをする際の再生間隔（速さ）を切り替え、さらに所定の角度になったらサムネイルを用いたＩＮＤＥＸサーチに切り替えることを示している。
【００２５】
本発明の画像記録再生装置では、このように、液晶モニタ１０６の回転操作を行うことにより、複数の画像ファイルから所望の画像ファイルを選択し、再生表示することができる。
【００２６】
次に、図４は画像記録再生装置における動画ファイルの再生形態を選択する際の操作イメージである。前提として、記録媒体１１１には画像ファイルとしてＭｏｔｉｏｎＪＰＥＧやＭＰＥＧ等の動画ファイルが記録されており、それらの動画ファイルが再生されて液晶モニタ１０６に表示可能な状態とする。液晶モニタ１０６は表示オンの状態になっている。さらに、インデックス画面等により再生候補としていずれかの動画ファイルが選択されている状態であるか、もしくは既に選択された動画を再生中の状態であるとする。
【００２７】
ユーザーは動画再生を行う場合に、液晶モニタ１０６を“開き方向”又は“閉じ方向”へ操作し、煽り角度αを変化させて再生形態を選択する。具体的には、図４のように、液晶モニタ１０６が本体と垂直になる状態をα＝０とした場合、煽り角度検出部１０８でその位置からの煽り角度αの最大変化値を検出し、その検出結果に基づいて動画ファイルの再生形態を決定する。このとき煽り角度αの数値に応じて異なる再生形態を選択することができる。その後、ユーザーが煽り角度α＝０の状態に液晶モニタ１０６を戻したならば、既に決定している再生形態で選択されている動画ファイルの再生動作を開始する（既に再生中のときは、新たな再生動作形態へと移行する）。液晶モニタ１０６の煽り角度αに応じて選択される再生形態は以下のようになる。
【００２８】
（液晶モニタ１０６を開き方向に操作した場合は順方向再生）
０＜α≦１／８π        ・・・スロー再生（例えば、１／３倍速再生）
１／８π＜α≦２／８π  ・・・通常再生（１倍速再生）
２／８π＜α≦３／８π  ・・・２倍速再生
（液晶モニタ１０６を閉じ方向に操作した場合は逆方向再生）
−１／８π≦α＜０          ・・・逆スロー再生（例えば、−１／３倍速再生）
−２／８π≦α＜−１／８π  ・・・逆再生（−１倍速再生）
−３／８π≦α＜−２／８π  ・・・先頭画像の表示に戻る
なお、上記の煽り方向、煽り角度や煽り量は煽り角度検出部１０８で検出され、検出された回転情報に応じてシステムコントローラ１０５によって記録／再生部１１０の再生動作の制御が行われて、このような再生形態の選択が実現される。
【００２９】
本発明の画像記録再生装置では、このように、液晶モニタ１０６に所定の煽り操作を行うことで動画ファイルの通常再生又はｎ倍速再生等の指定が可能な、再生形態の選択を行うことができる。
【００３０】
また、図３を用いて説明した画像の選択動作や、図４を用いて説明した再生形態の選択動作を、必要に応じて有効化又は無効化するよう構成してもよく、その際は、有効化または無効化するためのコマンド（ユーザー指示入力）を操作キー１０９から受信するよう構成する。
【００３１】
次に、図５は前述した図３の（ｂ）の如き再生画像の選択に係る処理を表わしたフローチャートである。図５のフローチャートはシステムコントローラ１０５によって実行される制御プログラムに基づく処理を表したものである。
【００３２】
まず、記録媒体１１１にはＮ個の画像ファイルが記録されており、現在再生中の画像ファイルがｎ番目（ｎの初期値は０）のファイルであるとする。また、ｎ＞Ｎの場合は画像ファイル再生時にｎにｎ−Ｎが代入され、ｎ＜０の場合にはｎにＮ−ｎが代入される。また液晶モニタ１０６の回転角度をθ、最大変化回転角度をθｍとする。さらに図５のフローチャート中にある条件式を以下に示す。
０＜θｍ≦１／８π            ・・・条件式１
１／８π＜θｍ≦２／８π      ・・・条件式２
２／８π＜θｍ≦３／８π      ・・・条件式３
３／８π＜θｍ≦４／８π      ・・・条件式４
−１／８π≦θｍ＜０          ・・・条件式５
−２／８π≦θｍ＜−１／８π  ・・・条件式６
−３／８π≦θｍ＜−２／８π  ・・・条件式７
−４／８π≦θｍ＜−３／８π  ・・・条件式８
以下、上記の条件式並びに図５のフローチャートを参照しながら本発明の画像記録再生装置における再生画像の選択動作について説明する。
【００３３】
システムコントローラ１０５は画像記録再生装置を再生モードにする（Ｓ５０１）。次に液晶モニタ１０６の回転角度θを回動角度検出部１０７で検出する（Ｓ５０２）。Ｓ５０２で検出した回転角度θが０か判断し（Ｓ５０３）、ＮＯならばＳ５０２に移り、ＹＥＳならばｎ番目の画像を再生し液晶モニタ１０６に表示し、最大変化回転角度θｍに０を代入する（Ｓ５０４）。液晶モニタ１０６の回転角度θを回動角度検出部１０７で検出する（Ｓ５０５）。Ｓ５０５で検出した回転角度θがθ≧０か判断する（Ｓ５０６）。
【００３４】
Ｓ５０６でＹＥＳならばθ＞θｍか判断する（Ｓ５０７）。Ｓ５０７でＮＯならばＳ５０４へ移り、ＹＥＳならばθｍにθの値を代入する（Ｓ５０８）。次に条件式１を満たすか判断する（Ｓ５０９）。Ｓ５０９でＹＥＳならばｎにｎ＋１を代入し（Ｓ５１０）、Ｓ５０４へ移る。Ｓ５０９でＮＯならば条件式２を満たすか判断する（Ｓ５１１）。Ｓ５１１でＹＥＳならばｎにｎ＋２を代入し（Ｓ５１２）、Ｓ５０４へ移る。Ｓ５１１でＮＯならば条件式３を満たすか判断する（Ｓ５１３）。Ｓ５１３でＹＥＳならばｎにｎ＋３を代入し（Ｓ５１４）、Ｓ５０４へ移る。Ｓ５１３でＮＯならば条件式４を満たすか判断する（Ｓ５１５）。Ｓ５１５でＮＯならばＳ５０４へ移り、ＹＥＳならばｎにｎ＋４を代入する（Ｓ５１６）。次にｎ番目の画像ファイルに対応するサムネイル画像を再生し、液晶モニタ１０６にインデックス画像として再生表示する（Ｓ５１７）。次にｎにｎ＋１を代入する（Ｓ５１８）。そして、液晶モニタ１０６の回転角度θを回動角度検出部１０７で検出し（Ｓ５１９）、Ｓ５１５へ移る。
【００３５】
一方、Ｓ５０６でＮＯならばθ＜θｍか判断する（Ｓ５２０）。Ｓ５２０でＮＯならばＳ５０４へ移り、ＹＥＳならばθｍにθの値を代入する（Ｓ５２１）。次に条件式５を満たすか判断する（Ｓ５２２）。Ｓ５２２でＹＥＳならばｎにｎ−１を代入し（Ｓ５２３）、Ｓ５０４へ移る。Ｓ５２２でＮＯならば条件式６を満たすか判断する（Ｓ５２４）。Ｓ５２４でＹＥＳならばｎにｎ−２を代入し（Ｓ５２５）、Ｓ５０４へ移る。Ｓ５２４でＮＯならば条件式７を満たすか判断する（Ｓ５２６）。Ｓ５２６でＹＥＳならばｎにｎ−３を代入し（Ｓ５２７）、Ｓ５０４へ移る。Ｓ５２６でＮＯならば条件式８を満たすか判断する（Ｓ５２８）。Ｓ５２８でＮＯならばＳ５０４へ移り、ＹＥＳならばｎにｎ−４を代入する（Ｓ５２９）。次にｎ番目の画像ファイルに対応するサムネイル画像を再生し、液晶モニタ１０６にインデックス画像として再生表示する（Ｓ５３０）。次にｎにｎ−１を代入する（Ｓ５３１）。そして液晶モニタ１０６の回転角度θを回動角度検出部１０７で検出し（Ｓ５３２）、Ｓ５２８へ移る。
【００３６】
以上のような動作フローをシステムコントローラ１０５が行うことで、図３の（ｂ）の如き再生画像の選択動作を実現できる。
【００３７】
図６は前述した図４の如き動画ファイルの再生形態の選択に係る処理を表わしたフローチャートである。図６のフローチャートはシステムコントローラ１０５によって実行される制御プログラムに基づく処理を表したものである。
【００３８】
まず、現在設定されている動画の再生形態としてＭが設定されているとする。また、液晶モニタ１０６の煽り角度をα、最大煽り角度をαｍとする。さらに、図６のフローチャート中にある条件式を以下に示す。
０＜α≦１／８π            ・・・  条件式９
１／８π＜α≦２／８π      ・・・  条件式１０
２／８π＜α≦３／８π      ・・・  条件式１１
−１／８π≦α＜０          ・・・  条件式１２
−２／８π≦α＜−１／８π  ・・・  条件式１３
−３／８π≦α＜−２／８π  ・・・  条件式１４
以下、上記の条件式並びに図６のフローチャートを参照しながら本発明の画像記録再生装置における動画ファイルの再生形態の選択動作について説明する。
【００３９】
システムコントローラ１０５は画像記録再生装置を再生モードにする（Ｓ６０１）。次に現在再生表示されている画像ファイルが動画ファイルか判断する（Ｓ６０２）。Ｓ６０２でＮＯならば終了となり、ＹＥＳならば煽り角度検出部１０８で煽り角度αを検出する（Ｓ６０３）。次に煽り角度αが０か判断する（Ｓ６０４）。
【００４０】
Ｓ６０４でＮＯならば煽り角度α≧０を満たすか判断する（Ｓ６０５）。
【００４１】
Ｓ６０５でＹＥＳならばさらにα＞αｍを満たすか判断する（Ｓ６０６）。Ｓ６０６でＮＯならばＳ６０１へ移り、ＹＥＳならばαｍにαを代入する（Ｓ６０７）。次に条件式９を満たすか判断する（Ｓ６０８）。Ｓ６０８でＹＥＳならば再生形態Ｍにスロー再生を設定し（Ｓ６０９）、Ｓ６０１へ移る。Ｓ６０８でＮＯならば条件式１０を満たすか判断する（Ｓ６１０）。Ｓ６１０でＹＥＳならば再生形態Ｍに通常再生を設定し（Ｓ６１１）、Ｓ６０１へ移る。Ｓ６１０でＮＯならば条件式１１を満たすか判断する（Ｓ６１２）。Ｓ６１２でＹＥＳならば再生形態Ｍに２倍速再生を設定し（Ｓ６１３）、Ｓ６０１へ移る。Ｓ６１２でＮＯならばＳ６０１へ移る。
【００４２】
一方、Ｓ６０５においてＮＯならばα＜αｍを満たすか判断する（Ｓ６１４）。Ｓ６１４でＮＯならばＳ６０１へ移り、ＹＥＳならばαｍにαを代入する（Ｓ６１５）。次に条件式１２を満たすか判断する（Ｓ６１６）。Ｓ６１６でＹＥＳならば再生形態Ｍに逆スロー再生を設定し（Ｓ６１７）、Ｓ６０１へ移る。Ｓ６１６でＮＯならば条件式１３を満たすか判断する（Ｓ６１８）。Ｓ６１８でＹＥＳならば再生形態Ｍに逆再生を設定し（Ｓ６１９）、Ｓ６０１へ移る。Ｓ６１８でＮＯならば条件式１４を満たすか判断する（Ｓ６２０）。Ｓ６２０でＹＥＳならば再生形態Ｍに先頭画像の再生表示を設定し（Ｓ６２１）、Ｓ６０１へ移る。Ｓ６２０でＮＯならばＳ６０１へ移る。
【００４３】
また、Ｓ６０４においてＹＥＳならば再生形態Ｍに従った再生形態で、現在選択されている動画ファイルを再生表示し、最大煽り角度αｍに０を代入し（Ｓ６２２）、Ｓ６０１へ移る。
【００４４】
以上のような動作フローをシステムコントローラ１０５が行うことで、図４の如き動画ファイルの再生形態の選択動作を実現できる。
【００４５】
なお、上記した画像記録再生装置は、デジタルビデオカメラやデジタルスチルカメラの他、画像再生が可能な携帯電話、ＰＣ、ＰＤＡ等の携帯機器であっても良い。
【図面の簡単な説明】
【００４６】
【図１】本発明に係る画像記録再生装置のブロック図である。
【図２】本発明に係る画像記録再生装置の外観図である。
【図３】画像記録再生装置における再生画像を選択する際の操作イメージである。
【図４】画像記録再生装置における動画ファイルの再生形態を選択する際の操作イメージである。
【図５】画像記録再生装置における再生画像の選択に係る処理を表わしたフローチャートである。
【図６】画像記録再生装置における動画ファイルの再生形態の選択に係る処理を表わしたフローチャートである。
【符号の説明】
【００４７】
１０１  光学レンズ
１０２  撮像素子
１０３  カメラ信号処理部
１０４  画像圧縮／伸張部
１０５  システムコントローラ
１０６  液晶モニタ
１０７  液晶モニタの回動角度検出部
１０８  液晶モニタの煽り角度検出部
１０９  操作キー
１１０  記録／再生部
１１１  記録媒体
【図１】
2005198256.tif 000003
【図２】
2005198256.tif 000004
【図３】
2005198256.tif 000005
【図４】
2005198256.tif 000006
【図５】
2005198256.tif 000007
【図６】
2005198256.tif 000008